(57)【要約】【課題】  入口の上部に設けた上レールに吊車を介して引戸を吊設し、該引戸の戸先側には開閉操作用のハンドルを取付け、引戸が開いた際に収納される戸袋を備えた引戸装置であって、手が不自由な身体障害者であっても安全に引戸の開閉操作が出来る引戸装置の提供。【解決手段】  ハンドル２は戸先側に位置するメイン握り部３、補助握り部４、及び上下握り部５，６を有す概略長方形をなし、ハンドル２のメイン握り部側に位置して上下端部に設けた上アーム７と下アーム８を介して引戸１に取付けられ、そして引戸１が開いて戸袋１６に収納された状態で上記補助握り部４と戸袋パネル又は戸袋の入口に起立している引戸枠１７との間に形成される空間１８の大きさを５０ｍｍ以上としている。【選択図】    図６
2008057151.tif 000002
【特許請求の範囲】
【請求項１】
入口の上部に設けた上レールに吊車を介して引戸を吊設し、該引戸の戸先側には開閉操作用のハンドルを取付け、引戸が開いた際に収納される戸袋を備えた引戸装置において、上記ハンドルは戸先側に位置するメイン握り部、補助握り部、及び上下握り部を有す概略長方形をなし、ハンドルのメイン握り部側に位置して上下端部に設けた上アームと下アームを介して引戸に取付けられ、そして引戸が開いて戸袋に収納された状態で上記補助握り部と戸袋パネル又は戸袋の入口に起立している引戸枠との間に形成される空間の大きさを５０ｍｍ以上としたことを特徴とする引戸装置。
【請求項２】
入口の上部に設けた上レールに吊車を介して引戸を吊設し、該引戸の戸先側には開閉操作用のハンドルを取付け、引戸が開いた際に収納される片面戸袋を備えた引戸装置において、上記ハンドルは戸先側に位置するメイン握り部、補助握り部、及び上下握り部を有す概略長方形をなし、ハンドルのメイン握り部側に位置して上下端部に設けた上アームと下アームを介して引戸に取付けられ、そして引戸が開いて上記片面戸袋に収納された状態で上記補助握り部と片面戸袋パネル又は戸袋パネルの入口に起立している引戸枠との間に形成される空間の大きさを５０ｍｍ以上としたことを特徴とする引戸装置。
【請求項３】
上記ハンドルを引戸の片面側にのみ取付けた請求項１、又は請求項２記載の引戸装置。
【発明の詳細な説明】
【技術分野】
【０００１】
本発明は身体の不自由な人が引戸を開閉する際に、操作ハンドルが持ち易くて開閉操作がし易い引戸装置に関するものである。
【背景技術】
【０００２】
図１０は従来の一般的な引戸(イ)を表しているが、該引戸(イ)の戸先側にはハンドル(チ)が取付けられている。ハンドル(チ)の形状は概略コ形を成して引戸面と一定空間を隔てた位置に握り部(リ)が上下方向に延びている。人は、この握り部(リ)の適当な位置を握って引戸(イ)を引いて開くことが出来る。そして半自動式引戸装置であれば、開いた引戸(イ)は独りで閉じることが出来る。
【０００３】
ところで、近年の引戸装置は高精度のアルミ製上レールが用いられ、吊車のローラには耐摩性に優れたポリアセタール等の樹脂材が用いられ、又高性能のラジアルベアリングが内蔵されている為に、約１ｋｇの軽い力で開閉操作を行うことが出来るように成っている。しかし、老人や身体が不自由な人にとって上記ハンドル（チ）を握って引戸を開閉することは容易でない。特に、車椅子に乗っている身体障害者にとって引戸の開閉操作は苦労する。
【０００４】
図１１は概略コ形ハンドル(チ)を備えた従来の引戸(イ)を開く場合を表している。同図では操作する人が身体障害者(ヌ)であって車椅子(ル)に乗っている。
(ａ)は車椅子(ル)に乗った身体障害者(ヌ)はハンドル(チ)を握って引戸(イ)を引くことが出来るが、この場合に該引戸(イ)は入口の約１／２程度までは開くことが出来る。すなわち、ハンドル(チ)の握り部(リ)をもって点線の位置まで引くことは可能である。
【０００５】
従って、その後は、(ｂ)に示すように車椅子(ル)を後退させてから再び(ｃ)のように引かなくてはならず、十分に開口した入口(オ)から(ｄ)のように車椅子ごと入ることになる。このように、前記図１０に示す概略コ形のハンドル(チ)を備えた引戸(イ)では、該引戸(イ)を約１／２程度引いたところで車椅子(ル)を後退しなければならず、従って出入りが面倒であると共に時間がかかる。
【０００６】
又、図１２に示すように、部屋のコーナー部に引戸(イ)が設けられている場合であれば、車椅子(ル)に乗っている身体障害者(ヌ)は引戸(イ)のハンドル(チ)まで手が届かないといった問題が発生する。すなわち、車椅子(ル)の先端が壁面に当たってしまい、該車椅子(ル)を前へ進めることが出来ない。従って、車椅子(ル)から身を乗り出してハンドル(チ)を握らなくてはならず、その為に身体のバランスを崩すこともあって非常に危険である。
【０００７】
そこで出願人は車椅子に乗っている身体障害者であっても、引戸の開閉操作が容易に行うことが出来るようにしたハンドルを備えた引戸に関する開発を行っている。特開２００６−１５２６３３号に係る「引戸用ハンドル及び該ハンドルを備えた引戸」は、引戸面に平行して上下方向に延びるメイン握り部を戸先側に設け、該メイン握り部に対して戸尻側には同じく上下方向に延びる補助握り部を平行に設けている。従って、最初補助握り部を持って約１／２程度開いたところで、メイン握り部に持ち変えて引戸を全開することが出来る。
【特許文献１】特開２００６−１５２６３３号に係る「引戸用ハンドル及び該ハンドルを備えた引戸」
【発明の開示】
【発明が解決しようとする課題】
【０００８】
このように、ハンドルの形状を工夫することで車椅子に乗っている身体障害者にとって引戸の開閉がし易くなる。しかし、身体障害者の中には手が不自由な為にハンドルをしっかりと握ることが出来ない人もあり、該ハンドルの形状を工夫しても重症の身体障害者にとっては意味がない。本発明が解決しようとする課題はこの問題点であり、ハンドルをしっかり握らなくても開閉操作が安全に出来る引戸装置を提供する。
【課題を解決するための手段】
【０００９】
本発明に係る引戸用ハンドルは、コーナー部を湾曲した概略長方形とし、戸先側には上下方向に延びるメイン握り部を戸尻側には上下方向に延びる補助握り部を有し、メイン握り部と補助握り部の上端は水平に延びる上握り部によって繋がれ、メイン握り部と補助握り部の下端は水平に延びる下握り部にて繋がれている。そして、該ハンドルのメイン握り部側に位置した上下端部にはアームが設けられ、該アームを介して引戸に取付けられる。
【００１０】
メイン握り部は引戸面から所定の空間を残して上下方向に平行に延びて形成され、補助握り部も引戸面に対して平行を成している。そして、本発明ではハンドルと引戸のパネル面との間に大きな空間を有している。手が不自由な人は補助握り部とパネル面との間に握りこぶしを入れ、該握りこぶしを補助握り部に係止して引戸を引くことが出来、しかも引戸が開いて戸袋に収納される際に、握りこぶしが戸袋パネルや戸袋の入口に起立する引戸枠に当って挟まれないような大きさの空間としている。
【００１１】
本発明では上記空間の大きさを５０ｍｍ以上としている。ここで、引戸装置には戸袋を備えている型式、片側にのみ戸袋パネルを設けている型式が存在しているが、引戸が開いた戸袋パネルに面した状態で該戸袋パネル又は引戸枠とハンドルの補助握り部との間に形成される空間を５０ｍｍ以上としている。
【発明の効果】
【００１２】
本発明のハンドルはメイン握り部、補助握り部、及び上握り部と下握り部からなる概略長方形を構成している為に、車椅子に乗った身体障害者はその車椅子の位置を動かすことなく、最初は補助握り部をもって引戸をある程度開き、その後はメイン握り部に持ち換えて引戸を開くことが出来る。従って、車椅子を動かすことなく手軽に引戸を全開することが出来、入口から素早く入ることが可能と成る。
【００１３】
又、部屋のコーナー部に引戸が設置される場合であっても、車椅子に乗った状態で身を乗り出すことなく補助握り部を掴んで引戸を引くことが出来る。そして、杖をついて歩く高齢者は概略長方形のハンドルの上握り部に手を掛けて開くことが出来、人はそれぞれハンドルの適当な部位を握ることが可能である。さらに、上記ハンドルの補助握り部は戸袋パネル面や引戸枠との間に５０ｍｍ以上の空間を形成している為に、この空間に手を入れることが出来る。従って、補助握り部をしっかり握らなくても、該補助握り部に握りこぶしを引っ掛けて引戸を開くことが出来、この際に戸袋パネルや引戸枠に手が挟まることはない。
【実施例】
【００１４】
図１は本発明に係る引戸１を表している実施例である。引戸１は縦長の長方形パネルから成り、上端両側には吊車(図示なし)が取着され、引戸１は該吊車を介して上レール(図示なし)に吊設される。そして、引戸１の両面又は片面側の戸先側にはハンドル２が取付けられていて、人はこのハンドル２を握って引戸１を開くことが出来る。一般に、吊車が載って走行する上レールは戸先側が僅かに低く傾斜している為に、手で引いて開いた引戸１はその自重にて独りで閉じることが出来るように成っている。
【００１５】
ところで、該引戸１には上記ハンドル２が取着されているが、該ハンドル２は概略長方形を成し、上下端部には上アームと下アームを設けている。図２は上記ハンドル２を示す具体例であり、メイン握り部３、補助握り部４、上握り部５、及び下握り部６を有し、コーナー部は滑らかに湾曲した概略長方形をしている。そして、メイン握り部３の上下端部からＬ形をした上アーム７と下アーム８が延びている。
【００１６】
該ハンドル２は上アーム７と下アーム８を介して引戸１に取付けられ、ハンドル２のメイン握り部３、補助握り部４、上握り部５、及び下握り部６はパネル面１１との間に所定に空間が形成され、人は適当な部位を握って引戸１を開閉することが出来る。すなわち、メイン握り部３を握って開くことが出来るし、補助握り部４を握って開くことも可能である。又、上握り部５や下握り部６を握ることも出来、このように概略長方形とすることで、握る部位が多様化される。
【００１７】
図３は本発明に係る引戸１を開く際の操作を表している。
(ａ)は車椅子９に乗った身体障害者１０がハンドル２を握った場合である。身体障害者１０は適当な位置で該車椅子９を停止してハンドル２を引くことが出来るが、この場合、身体障害者１０が手を伸ばすことで補助握り部４を掴むことが出来る位置に車椅子９を停止し、該補助握り部４を引っ張るならば引戸１を約１／２程度開くことが出来る。
(ｂ)は引戸１が約１／２程度開いたところで、握る部位をメイン握り部３に持ち変えた場合である。メイン握り部３に握り替えて引くことで引戸１をほぼ全開することが出来、開口は車椅子９が通過できる大きさとなる。
(ｃ)は開口した入口から車椅子９ごと入る場合を示している。この際、開いた引戸１が独りで閉じないように引戸１は全開ストッパーに係止することが出来る。そして、中に入ったところで、引戸１を引いて全開ストッパーから解除するならば独りで閉じる。勿論、(ｂ)に示す半開きの状態で、補助握り部４からメイン握り部３に持ち替える際に引戸１が閉じないように任意位置で停止する停止機能を備えることもある。
【００１８】
一方、図４に示すように引戸１が部屋のコーナー部に設けている場合にも補助握り部４を持って引くことが出来、ある程度開いたところで今度はメイン握り部３に持ち替えて引くことが可能と成る。従って、メイン握り部３しかない従来のハンドル(チ)のように、身を乗り出してハンドル操作する必要がない。
【００１９】
ここで、上記ハンドル２を引戸１に取付ける構造は限定しないが、上アーム７及び下アーム８の先端をパネル面１１に当接してネジ止めにて取付けられる。図５は引戸１に固定される上アーム７ａ，７ｂと固定された状態の下アーム８ａ，８ｂを表している。まず、上アーム７ｂ，下アーム８ｂの先端をパネル面１１ｂに当接して反対側のパネル面１１ａからネジ１２を挿通してネジ止めする。この際、パネル面１１ａ，１１ｂには樹脂カバー１３ａ，１３ｂを当てた状態で締付されるが、パネル面１１ａの側にはボス１４  が同時に固定される。
【００２０】
上アーム７ａと下アーム８ａの先端には穴が形成され、この穴にキャップ１５が嵌ってネジ止めされ、該キャップ１５の穴にはパネル面１１ａから突出する上記ボス１４が嵌着される。そして、上アーム７ａ及び下アーム８ａがネジ締めされて固定される。
【００２１】
ところで、一般の健常者及び車椅子９に乗った普通の身体障害者１０はハンドル２の適当な部位を握って引戸１を開くことが出来るが、該ハンドル２を握ることが不自由な身体障害者１０はハンドル２の補助握り部４に握りこぶしを掛けて該引戸１を開く場合も多い。そこで、パネル面１１と補助握り部４との空間を大きくし、引戸１を開いた際に戸袋のパネル又は戸袋入口に設けられる枠体との間に握りこぶしが入る大きさと成っている。すなわち、手が挟まらない大きさの空間と成っていて、本発明ではこの大きさを５０ｍｍ以上としている。
【００２２】
図６は引戸１が入口を閉じている場合と開いている場合を表している。該引戸装置は引戸１が開いた際に収納される戸袋１６を備え、該戸袋１６の入口にはスチール製の引戸枠１７が取付けられている。そこで、身体障害者１０又は老人が補助握り部４に握りこぶしを掛けて引戸１を開く場合、上記引戸枠１７に当って挟まれないような大きさの空間１８，１８が設けられている。この引戸装置では該空間１８の寸法が５４ｍｍと成っている。ここで、上記引戸枠１７は引戸装置の形態に応じて木製とすることもある。勿論、戸袋１６を構成する戸袋パネルの形態や構造は限定しない。
【００２３】
図７は引戸１が入口を閉じている場合と開いている場合を表している他の具体例である。該引戸装置の戸袋１６は戸袋パネル１９，１９にて構成され、引戸１が開いた際には戸袋１６に収納される。そこで、身体障害者１０又は老人が補助握り部４に握りこぶしを掛けて引戸１を開く場合に、上記戸袋パネル１９，１９に当って挟まれないような大きさの空間１８，１８が設けられ、この引戸装置では該空間１８の寸法が５８．５ｍｍと成っている。該戸袋１６の入口には引戸枠は存在していない。
【００２４】
図８は引戸１が入口を閉じている場合と開いている場合を表している更なる他の具体例である。この引戸装置は片面戸袋を備えており、引戸１が開いた際には片面がオープンとなっている。そこで、片面戸袋を構成する戸袋パネル２０が設けられている側では、該戸袋パネル２０に当って手が挟まれないような大きさの空間１８が設けられ、この引戸装置では該空間１８の寸法が５８．５ｍｍと成っている。
【００２５】
図９に示す引戸装置の実施例では、戸袋１６を備えているが、戸袋パネル１９は片側にのみ設けられている。そして、ハンドル２も引戸の片側にのみ取付けられ、反対側のハンドルはその形態を異にしている。戸袋パネル１９の側に取付けられているハンドル２と該戸袋パネル１９との空間１８の大きさは５８．５ｍｍと成っていて、補助握り部４に係止した握りこぶしが引戸１を開いた際に挟まれることはない。
【００２６】
本発明は上記実施例に限定しないが、手が不自由な身体障害者は補助握り部に握りこぶしを掛けて引戸を開くことが出来る。この際、引戸が開いて戸袋パネルが引戸とハンドルの間に進入する場合に、握りこぶしが該戸袋パネルや引戸枠に当らないような空間としている。
【００２７】
図１３は本発明に係るハンドルを備えた引戸の開閉操作の検証データである。同データは立位走行できる人と車椅子の載っている人を対象とし、立位走行の人はＡ：二足歩行、Ｂ：片杖歩行、Ｃ：両杖歩行、Ｄ：歩行器使用している場合に分けている。又車椅子の人はＥ：両手駆動１、Ｆ：片手片足駆動、Ｇ：両手駆動２、Ｈ：電動車椅子の場合に分けている。そして、それぞれの障害名も同図に記載している通りである。
【００２８】
同図のＩハンドルとは図１０に示している引戸の従来型式のハンドルであり、ＵＤハンドルトとは図１に示す引戸に取付けられている本発明に係るハンドルである。ところで、(２)ハンドルを操作する際の姿勢、(３)ハンドルを操作する際の身体の移動、(４)ハンドルを操作する際の壁・扉との接触、(５)ハンドルを操作して引戸を開いて通り抜けるに要する時間に関して、ＩハンドルとＵＤハンドルとの比較データを示している。これらデータから明らかに本発明のＵＤハンドルの方が優れていることが判る。特に、従来のＩハンドルの場合には、身体を移動してハンドルの操作が出来ない場合、そして引戸を開いて通過することが出来ない場合が発生する。
【００２９】
又、同図には引戸が任意の位置で停止することが出来るフリーストッパー(ＦＳ)を有している場合と有していない場合の恐怖心に関しても検証しているが、引戸にフリーストッパー(ＦＳ)を備えることで身体の不自由な人は引戸の開閉に恐怖心を感じないことが判った。
【図面の簡単な説明】
【００３０】
【図１】本発明に係る引戸を示す具体例。
【図２】引戸に取付けられるハンドルの具体例。
【図３】本発明の引戸操作手順。
【図４】部屋のコーナー部に引戸を設けた場合の操作。
【図５】ハンドルの取付け構造。
【図６】引戸に取付けたハンドルと戸袋の関係。
【図７】引戸に取付けたハンドルと戸袋の関係。
【図８】引戸に取付けたハンドルとパネルの関係。
【図９】引戸に取付けたハンドルと戸袋パネルの関係。
【図１０】従来のハンドルを備えた引戸を示す具体例。
【図１１】従来の引戸の操作手順。
【図１２】部屋のコーナーに設けている従来引戸の操作。
【図１３】ＩハンドルとＵＤハンドルを操作する際の検証データ。
【符号の説明】
【００３１】
１  引戸
２  ハンドル
３  メイン握り部
４  補助握り部
５  上握り部
６  下握り部
７  上アーム
８  下アーム
９  車椅子
10  身体障害者
11  パネル面
12  ネジ
13  樹脂カバー
14  ボス
15  キャップ
16  戸袋
17  引戸枠
18  空間
19  戸袋パネル
20  戸袋パネル
【図１】
2008057151.tif 000003
【図２】
2008057151.tif 000004
【図３】
2008057151.tif 000005
【図４】
2008057151.tif 000006
【図５】
2008057151.tif 000007
【図６】
2008057151.tif 000008
【図７】
2008057151.tif 000009
【図８】
2008057151.tif 000010
【図９】
2008057151.tif 000011
【図１０】
2008057151.tif 000012
【図１１】
2008057151.tif 000013
【図１２】
2008057151.tif 000014
【図１３】
2008057151.tif 000015